(57)【要約】【課題】地域経済の活性化と、イベントへの市民の参加の促進とを同時に実現し得るシステムを提案する。【解決手段】現実空間において行われるイベントの開催場所に参加者が赴いたことに対して付与される参加ポイントを記憶するポイント記憶部１０１と、参加者による獲得した参加ポイントを店舗で使用可能なクーポンに交換する意思を示す入力を受け付ける交換受付部１０４と、交換受付部１０４で入力を受け付けたことに基づきポイント記憶部１０１に記憶している参加者の保有する参加ポイントを減算する交換処理部１０５と、クーポンを使用可能な店舗毎に設定される参加者が享受できる利得またはクーポンの使用条件に関する情報を記憶する店舗情報記憶部１０６と、店舗情報記憶部１０６に記憶している情報を参加者の使用する情報処理装置に向けて送信し参加者の閲覧に供する店舗情報提供部１０７とを具備するイベント参加促進システムを構成した。【選択図】図１
2020057175.tif 000002
【特許請求の範囲】
【請求項１】
現実空間において行われるイベントの開催場所に参加者が赴いたことに対して当該参加者に付与される参加ポイントを記憶するポイント記憶部と、
参加者による、過去に獲得した参加ポイントを商品または役務を提供する店舗で使用可能なクーポンに交換する意思を示す入力を受け付ける交換受付部と、
前記交換受付部で参加ポイントをクーポンに交換する意思を示す入力を受け付けたことに基づき、前記ポイント記憶部に記憶している、その意思を示した参加者が保有する参加ポイントを減算する交換処理部と、
クーポンを使用可能な店舗毎に設定される、参加者がクーポンを使用することで享受できる利得またはクーポンを使用するための条件に関する情報を記憶する店舗情報記憶部と、
前記店舗情報記憶部に記憶している情報を参加者の使用する情報処理装置に向けて送信し参加者の閲覧に供する店舗情報提供部と
を具備するイベント参加促進システム。
【請求項２】
現実空間において行われるイベントの開催場所に参加者が赴いたことに対して当該参加者に付与される参加ポイントを記憶するポイント記憶部と、
参加者による、過去に獲得した参加ポイントを商品または役務を提供する店舗で使用可能なクーポンに交換する意思を示す入力を受け付ける交換受付部と、
前記交換受付部で参加ポイントをクーポンに交換する意思を示す入力を受け付けたことに基づき、クーポンとして紙のチケットを発行する発券機と、
前記交換受付部で参加ポイントをクーポンに交換する意思を示す入力を受け付けたことに基づき、前記発券機が参加者に対してチケットを発行することと引き替えに、前記ポイント記憶部に記憶している、その意思を示した参加者が保有する参加ポイントを減算する交換処理部と
を具備するイベント参加促進システム。
【請求項３】
現実空間において行われるイベントの開催場所に参加者が赴いた事実を示す情報を取得する参加情報取得部と、
前記参加情報取得部で取得した情報に基づき、前記ポイント記憶部に記憶している、イベントの開催場所に赴いた参加者が保有する参加ポイントを加算するポイント付与処理部と
を具備する請求項１または２記載のイベント参加促進システム。
【請求項４】
前記参加情報取得部は、イベントの開催場所に赴いた参加者が所持するカードまたは情報処理装置が表示しまたは記憶している、当該参加者を識別する識別情報を取得する請求項３記載のイベント参加促進システム。
【請求項５】
前記交換受付部は、チケットの発行を受けようとする参加者が所持するカードまたは情報処理装置が表示しまたは記憶している、当該参加者を識別する識別情報を取得する請求項２記載のイベント参加促進システム。
【請求項６】
請求項１、２、３、４または５記載のイベント参加促進システムを構成するために用いられるものであって、情報処理装置を、
現実空間において行われるイベントの開催場所に参加者が赴いたことに対して当該参加者に付与される参加ポイントを記憶するポイント記憶部、
参加者による、過去に獲得した参加ポイントを商品または役務を提供する店舗で使用可能なクーポンに交換する意思を示す入力を受け付ける交換受付部、及び、
前記交換受付部で参加ポイントをクーポンに交換する意思を示す入力を受け付けたことに基づき、前記ポイント記憶部に記憶している、その意思を示した参加者が保有する参加ポイントを減算する交換処理部
として機能させるプログラム。
【請求項７】
請求項１、２、３、４または５記載のイベント参加促進システムを構成するために用いられるものであって、情報処理装置を、
クーポンを使用可能な店舗毎に設定される、参加者がクーポンを使用することで享受できる利得またはクーポンを使用するための条件に関する情報を記憶する店舗情報記憶部、及び、
前記店舗情報記憶部に記憶している情報を参加者の使用する情報処理装置に向けて送信し参加者の閲覧に供する店舗情報提供部
として機能させるプログラム。
【発明の詳細な説明】
【技術分野】
【０００１】
本発明は、現実空間で行われる各種イベントへの市民の参加を促すとともに、商店街その他の地域経済の活性化を図ることのできるイベント参加促進システムに関する。
【背景技術】
【０００２】
商品やサービスを提供する市中の店舗が集客のために利用するツールの一つとして、いわゆるタウン情報誌やフリーペーパーが挙げられる。タウン情報誌やフリーペーパーには、各店舗において顧客が代金の割引を受けられたり、おまけを獲得できたりするクーポンが付録されていることも多い。近時では、この種のタウン情報誌またはフリーペーパーが、紙媒体のみならずウェブサイトとしても存在している（例えば、下記非特許文献１を参照）。
【０００３】
タウン情報誌やフリーペーパーに自己の店舗の情報を掲載して貰うには、その発行元の企業に広告費を支払う必要がある。そのような広告費の負担を避ける意図で、商店街等の一定の地域に属する店舗のグループが、当該地域内の店舗において使用可能なクーポンを自主的に発行したり、景品が当たるくじ引きまたは抽選会等を企画したりすることもある。
【０００４】
だが、クーポンの発行や景品の購入に要する費用は各店舗が分担する一方で、その集客効果は店舗毎に差が生じる。それ故、集客や売り上げの増加の恩恵を受けられなかった店舗が、少なからず不公平感を覚えることがあり、悩ましい。
【０００５】
今日、地元商店街に代表される地域経済の活性化は、地方自治体にとって重要な課題となっている。地元商店街の活性化、地域経済振興のための行政施策として、プレミアム商品券が一定の流行を見た（例えば、下記非特許文献２を参照）。プレミアム商品券は、自治体が１０％ないし２０％程度のプレミアム（割増金）を付加して販売する商品券であり、自治体が治める地域内の店舗で使用することができる。プレミアムの原資は国の交付金等、つまりは税金である。
【０００６】
自治体が主体となって経済振興策を実施するためには、法的及び政治的なハードルをクリアしなければならず、当然ながら予算の制約にも縛られる。自治体には単年度会計原則が適用され、中長期に亘る継続的な施策が難しいという側面もある。
【０００７】
翻って、自治体や自治体からの委託を受けた各種公的団体は、市民の参加を求める様々なイベントを日常的に開催している。具体例を列挙すると、清掃や環境整備その他各種のボランティア活動、消防団の活動、パトロール等の自治会活動、防犯、納税、法令遵守のための教育啓蒙や情報提供、避難訓練や防災訓練、応急手当（止血法、心肺蘇生法、ＡＥＤ使用法）の訓練、市民の健康診断、市民の健康増進のためのウォーキングや運動会、行楽地における観光スポット案内、等がそれに当たる。このようなイベントへの市民の参加を促進することも、自治体の任務となっている。
【先行技術文献】
【非特許文献】
【０００８】
【非特許文献１】“ホットペッパーグルメ”、［ｏｎｌｉｎｅ］、株式会社リクルートライフスタイル、［平成３０年９月１日検索］、インターネット＜ＵＲＬ：https://www.hotpepper.jp/＞
【非特許文献２】“長岡京市プレミアム付商品券”、［ｏｎｌｉｎｅ］、長岡京市商工会、［平成３０年９月１日検索］、インターネット＜ＵＲＬ：http://event.nagaokakyo-shokokai.jp/＞
【発明の概要】
【発明が解決しようとする課題】
【０００９】
本発明は、地域経済の活性化と、イベントへの市民の参加の促進とを同時に実現し得るシステムを提案するものである。
【課題を解決するための手段】
【００１０】
本発明では、現実空間において行われるイベントの開催場所に参加者が赴いたことに対して当該参加者に付与される参加ポイントを記憶するポイント記憶部と、参加者による、過去に獲得した参加ポイントを商品または役務を提供する店舗で使用可能なクーポンに交換する意思を示す入力を受け付ける交換受付部と、前記交換受付部で参加ポイントをクーポンに交換する意思を示す入力を受け付けたことに基づき、前記ポイント記憶部に記憶している、その意思を示した参加者が保有する参加ポイントを減算する交換処理部と、クーポンを使用可能な店舗毎に設定される、参加者がクーポンを使用することで享受できる利得またはクーポンを使用するための条件に関する情報を記憶する店舗情報記憶部と、前記店舗情報記憶部に記憶している情報を参加者の使用する情報処理装置に向けて送信し参加者の閲覧に供する店舗情報提供部とを具備するイベント参加促進システムを構成した。
【００１１】
並びに、本発明では、現実空間において行われるイベントの開催場所に参加者が赴いたことに対して当該参加者に付与される参加ポイントを記憶するポイント記憶部と、参加者による、過去に獲得した参加ポイントを商品または役務を提供する店舗で使用可能なクーポンに交換する意思を示す入力を受け付ける交換受付部と、前記交換受付部で参加ポイントをクーポンに交換する意思を示す入力を受け付けたことに基づき、クーポンとして紙のチケットを発行する発券機と、前記交換受付部で参加ポイントをクーポンに交換する意思を示す入力を受け付けたことに基づき、前記発券機が参加者に対してチケットを発行することと引き替えに、前記ポイント記憶部に記憶している、その意思を示した参加者が保有する参加ポイントを減算する交換処理部とを具備するイベント参加促進システムを構成した。
【００１２】
本発明に係るイベント参加促進システムは、さらに、現実空間において行われるイベントの開催場所に参加者が赴いた事実を示す情報を取得する参加情報取得部と、前記参加情報取得部で取得した情報に基づき、前記ポイント記憶部に記憶している、イベントの開催場所に赴いた参加者が保有する参加ポイントを加算するポイント付与処理部とを具備することがある。
【００１３】
前記参加情報取得部は、例えば、イベントの開催場所に赴いた参加者が所持するカードまたは情報処理装置が表示しまたは記憶している、当該参加者を識別する識別情報を取得することを通じて、当該参加者がイベントの開催場所に赴いた事実を知得する。
【００１４】
前記交換受付部は、例えば、チケットの発行を受けようとする参加者が所持するカードまたは情報処理装置が表示しまたは記憶している、当該参加者を識別する識別情報を取得することを通じて、当該参加者が獲得した参加ポイントをクーポンに交換しようとする意思を知得する。
【００１５】
本発明に係るイベント参加促進システムを構成するために用いられるプログラムは、情報処理装置を、現実空間において行われるイベントの開催場所に参加者が赴いたことに対して当該参加者に付与される参加ポイントを記憶するポイント記憶部、参加者による、過去に獲得した参加ポイントを商品または役務を提供する店舗で使用可能なクーポンに交換する意思を示す入力を受け付ける交換受付部、及び、前記交換受付部で参加ポイントをクーポンに交換する意思を示す入力を受け付けたことに基づき、前記ポイント記憶部に記憶している、その意思を示した参加者が保有する参加ポイントを減算する交換処理部として機能させる。
【００１６】
並びに、本発明に係るイベント参加促進システムを構成するために用いられるプログラムは、情報処理装置を、クーポンを使用可能な店舗毎に設定される、参加者がクーポンを使用することで享受できる利得またはクーポンを使用するための条件に関する情報を記憶する店舗情報記憶部、及び、前記店舗情報記憶部に記憶している情報を参加者の使用する情報処理装置に向けて送信し参加者の閲覧に供する店舗情報提供部として機能させる。
【発明の効果】
【００１７】
本発明によれば、地域経済の活性化と、イベントへの市民の参加の促進とを同時に実現し得るシステムを実現できる。
【図面の簡単な説明】
【００１８】
【図１】本発明の一実施形態のイベント参加促進システムの機能ブロック図。
【図２】同イベント参加促進システムの全体構成を示す図。
【図３】同イベント参加促進システムの構成要素である情報処理装置が備えるハードウェア資源を示す図。
【図４】同イベント参加促進システムの構成要素である発券機が備えるハードウェア資源を示す図。
【図５】同イベント参加促進システムの構成要素である情報処理装置が備えるハードウェア資源を示す図。
【図６】同イベント参加促進システムにおいて、イベントの開催場所に赴いた参加者に対して参加ポイントを付与する一態様を示す図。
【図７】同イベント参加促進システムの構成要素である情報処理装置が記憶保持する各参加者が保有する参加ポイントの情報を例示する図。
【図８】同イベント参加促進システムの構成要素である情報処理装置が記憶保持する各イベント毎に付与する参加ポイントの情報を例示する図。
【図９】同イベント参加促進システムにおいて、イベントの開催場所に赴いた参加者に対して参加ポイントを付与する一態様を示す図。
【図１０】同イベント参加促進システムにおいて、イベントの開催場所に赴いた参加者に対して参加ポイントを付与する一態様を示す図。
【図１１】同イベント参加促進システムの構成要素である情報処理装置が記憶保持する各イベントの開催場所の緯度及び経度の情報を例示する図。
【図１２】同イベント参加促進システムにおいて、イベントの開催場所に赴いた参加者に対して参加ポイントを付与する一態様を示す図。
【図１３】同イベント参加促進システムにおいて、イベントの開催場所に赴いた参加者に対して参加ポイントを付与する一態様を示す図。
【図１４】同イベント参加促進システムにおいて、イベントの開催場所に赴いた参加者に対して参加ポイントを付与する一態様を示す図。
【図１５】同イベント参加促進システムの構成要素である情報処理装置が記憶保持する各イベントの参加または訪問の時期的要件の情報を例示する図。
【図１６】同イベント参加促進システムの構成要素である情報処理装置が記憶保持する参加者が保有する参加ポイントの情報を例示する図。
【図１７】同イベント参加促進システムにおいて、イベントの開催場所に赴いた参加者に対して参加ポイントを付与する一態様を示す図。
【図１８】同イベント参加促進システムの構成要素である情報処理装置が記憶保持する各イベントの開催場所の緯度及び経度の情報を例示する図。
【図１９】同イベント参加促進システムにおいて、参加者に対してクーポンを発行する一態様を示す図。
【図２０】同イベント参加促進システムにおいて、参加者に対してクーポンを発行する一態様を示す図。
【図２１】同イベント参加促進システムの構成要素である情報処理装置が記憶保持する各参加者が保有するクーポンの情報を例示する図。
【図２２】同イベント参加促進システムにおいて、参加者に対してクーポンを発行する一態様を示す図。
【図２３】同イベント参加促進システムの構成要素である情報処理装置が記憶保持する参加者が保有するクーポンの情報を例示する図。
【図２４】同イベント参加促進システムにおいて、参加者に対してクーポンを発行する一態様を示す図。
【図２５】同イベント参加促進システムにおいて、参加者に対してクーポンを発行する一態様を示す図。
【図２６】同イベント参加促進システムにおいて、参加者に対してクーポンを使用可能な店舗に関する情報を提供する一態様を示す図。
【図２７】同イベント参加促進システムにおける、クーポンを使用可能な店舗に関する情報の出力例を示す図。
【図２８】同イベント参加促進システムにおいて、参加者が店舗においてクーポンを使用し消尽する一態様を示す図。
【図２９】同イベント参加促進システムにおいて、参加者が店舗においてクーポンを使用し消尽する一態様を示す図。
【図３０】同イベント参加促進システムにおいて、参加者が店舗においてクーポンを使用し消尽する一態様を示す図。
【発明を実施するための形態】
【００１９】
＜１．システムの概要＞以下、本発明の一実施形態を、図面を参照して説明する。本実施形態のイベント参加促進システムは、公益性を有するイベントや観光スポット等への市民の参加または訪問を促すとともに、地域経済の活性化を図ろうとするものである。参加者Ｕ即ち市民は、イベントに参加する（観光スポット等を訪問することを含む）ことで、参加ポイントを獲得することができる。そして、その参加ポイントを、地域に存在する様々な店舗Ｓにおいて使用可能なクーポンに交換することができる。店舗Ｓにおいて商品またはサービスを購入する顧客となる参加者Ｕは、クーポンと引き替えに、購入代金の割引を受けられたり、おまけを貰えたり等といった利得を当該店舗Ｓにおいて享受できる。
【００２０】
参加者Ｕが店舗Ｓにおいてクーポンを使用することで享受できる利得の内容は、各店舗Ｓが任意に設定してよい。例えば、ある店舗Ｓではクーポンと引き替えに購入代金を千円割引する一方で、他の店舗Ｓでは購入代金の１０％を割引する、また別の店舗Ｓではおまけとして好きな商品を一個参加者Ｕに進呈する、というような態様である。
【００２１】
参加者Ｕが店舗Ｓにおいてクーポンを使用できるための条件もまた、各店舗Ｓが任意に設定してよい。例えば、ある店舗Ｓでは商品またはサービスの購入金額によらずクーポンを使用できるが、他の店舗Ｓでは購入金額の合計が五千円を上回る場合に限りクーポンを使用できる、というような態様である。
【００２２】
本実施形態のイベント参加促進システムが具現しようとするこの仕組みは、イベントへの参加者Ｕとなる市民、店舗Ｓ、自治体の三者にとって有益となる。参加者Ｕは、公益性を有するイベントに参加することの対価として、参加ポイント、ひいてはクーポンを獲得でき、店舗Ｓにおける商品やサービスの購入の際に使用できる。
【００２３】
店舗Ｓは、クーポンを獲得した参加者Ｕが自己の店舗Ｓに足を運び顧客となる期待を得られる、即ち集客及び売り上げの増加を見込める。クーポンを使用する参加者Ｕに提供する利得の内容や、クーポンの使用条件は、各店舗Ｓが自由に設定することが許されており、取り扱う商品またはサービスの性質、客単価、店舗Ｓの規模その他の店舗Ｓ毎に異なる実情に柔軟に対応することが可能である。クーポンと引き替えに参加者Ｕに利得を提供するとき、そのコストは店舗Ｓ自身が負担することとなるが、これはタウン情報誌等に自己の店舗Ｓの記事を掲載して貰うためにその発行元に広告費を納めるのと同じである。しかも、自己の店舗Ｓでクーポンが使用されることは、クーポンを所有する参加者Ｕが自己の店舗Ｓに顧客として来店することと同義であって、店舗Ｓがクーポンと兌換する利得に対して費やすコストが、店舗Ｓの集客及び売り上げの増加量に比例する。店舗Ｓの立場から見て、これは合理的で公平であり、納得感が大きい。
【００２４】
自治体は、市民が公益性を有するイベントに参加することにインセンティヴを与えることができ、市民が地域に所在する店舗Ｓにおいて商品またはサービスを購買することにもインセンティヴを与えることができる。つまり、より多くの市民のイベントへの参加を促すと同時に、地域経済を振興することが可能になる。さらに、参加者Ｕが店舗Ｓにおいてクーポンを使用することで享受する利得は、店舗Ｓ自身によって提供されるので、そのコストを税金により賄う必要がない。従って、この仕組みを実現するための法的及び政治的ハードルは低いと言える。
【００２５】
図１に示すように、本実施形態のイベント参加促進システムは、ポイント記憶部１０１、参加情報取得部１０２、ポイント付与処理部１０３、交換受付部１０４、発券機４、交換処理部１０５、店舗情報記憶部１０６、及び店舗情報提供部１０７を具備する。
【００２６】
ポイント記憶部１０１は、現実空間において行われるイベントの開催場所（観光スポット等を含む）Ｅに参加者Ｕが赴いたことに対して当該参加者Ｕに付与される参加ポイントを記憶する。即ち、各参加者Ｕ毎に、当該参加者Ｕが現在保有している参加ポイントを記憶する。
【００２７】
参加情報取得部１０２は、現実空間において行われるイベントの開催場所Ｅに参加者Ｕが赴いた事実を示す情報を取得する。例えば、イベントの開催場所Ｅに赴いた参加者Ｕが所持するカード２または情報処理装置１が表示しまたは記憶している、当該参加者Ｕを識別する識別情報を取得することを通じて、当該参加者Ｕがイベントの開催場所Ｅに赴いた事実を知得する。
【００２８】
ポイント付与処理部１０３は、参加情報取得部１０２で取得した情報に基づき、ポイント記憶部１０１に記憶している、イベントの開催場所Ｅに赴いた参加者Ｕが保有する参加ポイントを加算する。
【００２９】
交換受付部１０４は、参加者Ｕによる、過去に獲得した参加ポイントを商品または役務を提供する店舗Ｓで使用可能なクーポンに交換する意思を示す入力を受け付ける。例えば、クーポンの発行を受けようとする参加者Ｕが所持するカード２または情報処理装置１が表示しまたは記憶している、当該参加者Ｕを識別する識別情報を取得することを通じて、当該参加者Ｕが獲得した参加ポイントをクーポンに交換しようとする意思を知得する。
【００３０】
発券機４は、交換受付部１０４で参加ポイントをクーポンに交換する意思を示す入力を受け付けたことに基づき、参加者Ｕに対しクーポンとして紙のチケットＴを発行する。
【００３１】
交換処理部１０５は、交換受付部１０４で参加ポイントをクーポンに交換する意思を示す入力を受け付けたことに基づき、ポイント記憶部１０１に記憶している、その意思を示した参加者Ｕが保有する参加ポイントを減算する。
【００３２】
店舗情報記憶部１０６は、クーポンを使用可能な店舗Ｓ毎に設定される、参加者Ｕがクーポンを使用することで享受できる利得またはクーポンを使用するための条件に関する情報を記憶する。
【００３３】
そして、店舗情報提供部１０７は、店舗情報記憶部１０６に記憶している情報を参加者Ｕの使用する情報処理装置１に向けて送信し、参加者Ｕの閲覧に供する。
【００３４】
＜２．ハードウェア構成＞図２に示すように、本実施形態におけるイベント参加促進システムは、現実空間において開催されるイベントに参加する参加者Ｕが所持する情報処理装置１及び／またはカード２と、イベントの開催場所Ｅに設置する情報処理装置３と、イベントに参加した参加者Ｕに対して提供するクーポンを紙のチケットＴの形で発行する発券機４と、クーポンを使用できる店舗Ｓに設置する情報処理装置５と、それら情報処理装置１、３、５、カード２及び発券機４と電気通信回線０を介して情報通信可能に接続する情報処理装置６、７とを主たる構成要素とする。
【００３５】
参加者Ｕが所持する情報処理装置１は、例えば、汎用的な携帯電話端末またはコンピュータ、特にスマートフォンやタブレット型コンピュータ、ノートブック型パーソナルコンピュータ、携行可能なビデオゲーム機等である。図３に示すように、情報処理装置１は、プロセッサ（Ｃｅｎｔｒａｌ  Ｐｒｏｃｅｓｉｎｇ  Ｕｎｉｔ）１ａ、メインメモリ１ｂ、補助記憶デバイス１ｃ、ビデオコーデック１ｄ、オーディオコーデック１ｅ、通信インタフェース１ｆ、入力デバイス１ｇ、ディスプレイ１ｈ、音声出力デバイス１ｉ、ＧＰＳ（Ｇｌｏｂａｌ  Ｐｏｓｉｔｉｏｎｉｎｇ  Ｓｙｓｔｅｍ）やＱＺＳＳ（Ｑｕａｓｉ−Ｚｅｎｉｔｈ  Ｓａｔｅｌｌｉｔｅ  Ｓｙｓｔｅｍ）といった航法衛星システム（衛星測位システム）の航法信号受信装置１ｊ等のハードウェア資源を備え、これらがコントローラ（システムコントローラ、Ｉ／Ｏコントローラ等）１ｋにより制御されて連携動作するものである。
【００３６】
補助記憶デバイス１ｃは、フラッシュメモリ、ハードディスクドライブ、光学ディスクドライブ、その他である。ビデオコーデック１ｄは、プロセッサ１ａより受けた描画指示をもとに表示させるべき画面を生成しその画面信号をディスプレイ１ｈに向けて送出するＧＰＵ（Ｇｒａｐｈｉｃｓ  Ｐｒｏｃｅｓｓｉｎｇ  Ｕｎｉｔ）、画面や画像のデータを一時的に格納しておくビデオメモリ等を要素とする。オーディオコーデック１ｅは、符号化されている音声データを復号化して音声出力デバイス１ｉであるスピーカ等から音声出力する。ビデオコーデック１ｄ及びオーディオコーデック１ｅはそれぞれ、ハードウェアでなくソフトウェアとして実装することも可能である。
【００３７】
通信インタフェース１ｆは、当該情報処理装置１がＰＡＮ（Ｐｅｒｓｏｎａｌ  Ａｒｅａ  Ｎｅｔｗｏｒｋ）、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネット等の電気通信回線０を通じて他の情報処理装置等２、３、４、５との間で情報通信を行うためのデバイスである。通信インタフェース１ｆは、Ｂｌｕｅｔｏｏｔｈ（登録商標）や無線ＬＡＮ、携帯電話網、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）網等を介した無線通信を実施するための無線トランシーバ、有線ＬＡＮ等を介した有線通信を実施するためのＮＩＣ（Ｎｅｔｗｏｒｋ  Ｉｎｔｅｒｆａｃｅ  Ｃｏｎｔｒｏｌｌｅｒ）、ＲＦＩＤ（Ｒａｄｉｏ  Ｆｒｅｑｕｅｎｃｙ  ＩＤｅｎｔｉｆｉｃａｔｉｏｎ）カードリーダ（または、ＩＣカードリーダ）、ＮＦＣ（Ｎｅａｒ  Ｆｉｅｌｄ  Ｃｏｍｍｕｎｉｃａｔｉｏｎ）トランシーバを含む。
【００３８】
入力デバイス１ｇは、参加者Ｕが手指で操作するタッチパネル（ディスプレイ１ｈに重ね合わされたものであることがある）やマウス等のポインティングデバイス、押下ボタン、キーボード、または参加者Ｕが肉声により指令を入力する音声入力デバイスであるマイク、バーコードやＱＲコード（登録商標）等の二次元コード、参加者Ｕの顔その他を撮像可能なカメラ（イメージセンサ）、参加者Ｕの指紋を取得するセンサ等である。
【００３９】
プロセッサ１ａにより実行されるべきプログラムは補助記憶デバイス１ｃに格納されており、プログラムの実行の際には補助記憶デバイス１ｃからメインメモリ１ｂに読み込まれ、プロセッサ１ａによって解読される。情報処理装置１は、プログラムに従って上記ハードウェア資源を作動させる。
【００４０】
カード２は、少なくともこれを所持する参加者Ｕが誰であるのかを識別するための識別情報を表示し、または記憶するものである。カード２はその表面に、バーコードや二次元コード等の形で、参加者Ｕを識別する識別情報を表示することがある。あるいは、カード２がＲＦＩＤカード（または、ＩＣカード）であり、その内部メモリに参加者Ｕを識別する識別情報やその他の必要な情報を記憶保持することがある。参加者Ｕは、情報処理装置１及びカード２の両方を所持することがあり、何れか一方のみを所持することもある。
【００４１】
イベントの開催場所Ｅに設置する情報処理装置３や、クーポンを使用できる店舗Ｓに設置する情報処理装置５のハードウェア構成は、参加者Ｕの所持する情報処理装置１と同様のものとすることができるので、記述を省略する。
【００４２】
発券機４は、紙のクーポンを発行することができる。発券機４は、汎用的なコンピュータにプリンタ４ｈを接続して構成することもできる。図４に示すように、発券機４は、プロセッサ４ａ、メインメモリ４ｂ、補助記憶デバイス４ｃ、ビデオコーデック４ｄ、通信インタフェース４ｅ、入力デバイス４ｆ、ディスプレイ４ｇ、プリンタ４ｈ等のハードウェア資源を備え、これらがコントローラ４ｉにより制御されて連携動作するものである。
【００４３】
プロセッサ４ａにより実行されるべきプログラムは補助記憶デバイス４ｃに格納されており、プログラムの実行の際には補助記憶デバイス４ｃからメインメモリ４ｂに読み込まれ、プロセッサ４ａによって解読される。発券機４は、プログラムに従って上記ハードウェア資源を作動させる。
【００４４】
情報処理装置６、７は、通常、参加者Ｕの生活空間、イベントの開催場所Ｅ及び店舗Ｓの何れでもない場所に所在する。情報処理装置６は、各参加者Ｕが獲得し保有する参加ポイントの管理を司る。情報処理装置７は、クーポンを使用可能な各店舗Ｓに関して、クーポンを使用することで享受できる利得、またはクーポンを使用するための条件に関する情報を提供する。情報処理装置６は、例えば汎用的なコンピュータ、特にサーバコンピュータ等である。図５に示すように、情報処理装置６は、プロセッサ６ａ、メインメモリ６ｂ、補助記憶デバイス６ｃ、通信インタフェース６ｄ等のハードウェア資源を備え、これらがコントローラ６ｅにより制御されて連携動作するものである。
【００４５】
プロセッサ６ａにより実行されるべきプログラムは補助記憶デバイス６ｃに格納されており、プログラムの実行の際には補助記憶デバイス６ｃからメインメモリ６ｂに読み込まれ、プロセッサ６ａによって解読される。情報処理装置６は、プログラムに従って上記ハードウェア資源を作動させる。
【００４６】
情報処理装置７のハードウェア構成は、情報処理装置６と同様のものとすることができるので、記述を省略する。なお、情報処理装置７は、情報処理装置６と同一のコンピュータであることがあり、または、情報処理装置５と同一のコンピュータであることがある。
【００４７】
＜３．参加ポイントの付与＞以降、本実施形態のイベント参加促進システムの各部の機能を詳述する。まず、現実空間において行われるイベントの開催場所Ｅに参加者Ｕが赴いた事実を知得し、当該参加者Ｕに対して参加ポイントを付与する処理に関して述べる。参加情報の取得及び参加ポイントの付与の具体的態様は複数考えられるので、以下にそれを列挙する。
【００４８】
［３−１］図６に示すように、イベントの開催場所Ｅに設置した情報処理装置３が、当該開催場所Ｅを訪れた参加者Ｕを識別する識別情報を読み取り、その情報を情報処理装置６に向けて電気通信回線０を介して送信し、情報処理装置６がこれを受信する。
【００４９】
例えば、情報処理装置３が、プログラムに従い、参加者Ｕが所持するカード２または情報処理装置１のディスプレイ１ｈの画面にバーコードや二次元コード等の形で表示される参加者識別情報を、当該情報処理装置３に付帯するカメラまたはコードリーダ等を介して読み取る。あるいは、参加者Ｕが所持するカード２の内部メモリまたは参加者Ｕが所持する情報処理装置１のメインメモリ１ｂ、補助記憶デバイス１ｃ若しくはＩＣチップの内部メモリに記憶されている参加者識別情報を、当該情報処理装置３に付帯する通信インタフェース、特に無線トランシーバやＲＦＩＤリーダ、ＮＦＣトランシーバ等を介して読み取る。参加者Ｕ自身の肉声、顔面または指紋等のバイオメトリクス情報を参加者識別情報として、マイク、カメラまたはセンサを介して読み取ることもあり得る。そして、その参加者識別情報に、必要であればタイムスタンプや、イベント若しくはその開催場所Ｅを識別する識別情報等を付して、情報処理装置３から情報処理装置６に送信する。なお、情報の送受信に際して、当該情報の暗号化やその他のデータ変換がなされることがある。
【００５０】
情報処理装置６は、プログラムに従い、情報処理装置３からもたらされる参加者識別情報等を受信する。受信した情報は、参加者識別情報により識別される参加者Ｕが、情報処理装置３を設置しているイベントの開催場所Ｅに赴いた事実を示す情報である。即ち、この態様では、情報処理装置６が（または、情報処理装置３と情報処理装置６とが協働して）、本システムにおける参加情報取得部１０２としての機能を発揮する。
【００５１】
また、情報処理装置６は、図７に例示するように、メインメモリ６ｂ若しくは補助記憶デバイス６ｃの所要の記憶領域に、各参加者Ｕ毎に、当該参加者Ｕが現在保有している参加ポイントの量を、当該参加者Ｕを識別する識別情報に関連づけて記憶している。即ち、情報処理装置６が、本システムにおけるポイント記憶部１０１としての機能を発揮する。
【００５２】
しかして、情報処理装置６は、情報処理装置３から受信した情報に含まれる、参加者Ｕを識別する識別情報に対応する参加者Ｕについて、情報処理装置３を設置したイベントの開催場所Ｅに赴いたことへの対価として参加ポイントを付与する。つまり、当該参加者Ｕを識別する識別情報に関連づけて記憶している、同参加者Ｕの保有する参加ポイントを加増する。即ち、この態様では、情報処理装置６が、本システムにおけるポイント付与処理部１０３としての機能を発揮する。
【００５３】
イベントに参加または訪問した参加者Ｕに付与するポイントの量は、各イベント毎に一律であってもよいし、イベント毎に相異していてもよい。後者の場合、情報処理装置６は、図８に例示するように、メインメモリ６ｂ若しくは補助記憶デバイス６ｃに、各イベント毎のポイント換算テーブル、即ち当該イベントに参加または訪問したことに対して付与する参加ポイントの量を、同イベント若しくは同イベントの開催場所Ｅを識別する識別情報に関連づけて記憶している。情報処理装置６は、イベントの開催場所Ｅに設置している情報処理装置３から、当該開催場所Ｅを訪れた参加者Ｕの識別情報とともに、同イベント若しくは同イベントの開催場所Ｅを識別する識別情報を受信する。そして、識別情報に対応するイベント若しくは開催場所Ｅの参加ポイントの量をポイント換算テーブルから読み出し、その参加ポイントを当該参加者Ｕを識別する識別情報に関連づけて記憶している参加ポイントに加増する。
【００５４】
また、参加者Ｕにポイントを付与する条件として、参加者Ｕがイベントの開催場所Ｅを訪れる日、時間帯、曜日、月、季節や年その他の期間等の時期的条件を設定してもよい。そのためには、情報処理装置６が、図８に例示するように、メインメモリ６ｂ若しくは補助記憶デバイス６ｃに、各イベント毎に、参加者Ｕが参加ポイントを獲得するためにそのイベントに参加または訪問するべき日、時間帯、曜日、月、季節や年その他の期間等の時期的条件の情報を、同イベント若しくは同イベントの開催場所Ｅを識別する識別情報に関連づけて記憶する。情報処理装置６は、イベントの開催場所Ｅに設置している情報処理装置３から、当該開催場所Ｅを訪れた参加者Ｕの識別情報や、同イベント若しくは同イベントの開催場所Ｅを識別する識別情報とともに、参加者Ｕがその開催場所Ｅを訪れた日時を示すタイムスタンプを受信する。そして、そのタイムスタンプが、イベント若しくは開催場所Ｅの識別情報に対応する時期的条件に合致する場合に限り、当該イベントに参加または訪問したことの対価としての参加ポイントを、当該参加者Ｕを識別する識別情報に関連づけて記憶している参加ポイントに加増する。
【００５５】
［３−２］図９に示すように、予めイベントの開催場所Ｅに配置している、当該イベント若しくはその開催場所Ｅを識別する識別情報を、当該開催場所Ｅに赴いた参加者Ｕが所持する情報処理装置１により読み取り、その情報を情報処理装置６に向けて電気通信回線０を介して送信し、情報処理装置６がこれを受信する。
【００５６】
例えば、情報処理装置１が、プログラムに従い、イベントの開催場所Ｅに所在する看板等にバーコードや二次元コード等の形で表示されるイベント若しくはその開催場所Ｅの識別情報を、当該情報処理装置１に付帯するカメラまたはコードリーダ等を介して読み取る。あるいは、イベントの開催場所Ｅに所在するＲＦＩＤタグやＮＦＣタグの内部メモリ、または情報処理装置３のメインメモリ、補助記憶デバイス若しくはＩＣチップの内部メモリに記憶されているイベント若しくは開催場所Ｅの識別情報を、情報処理装置１に付帯する通信インタフェース１ｆ、特に無線トランシーバやＲＦＩＤリーダ、ＮＦＣトランシーバ等を介して読み取る。そして、その識別情報に、当該イベントを訪れた参加者Ｕを識別する識別情報を付し、必要であればタイムスタンプ等をも付して、情報処理装置１から情報処理装置６に送信する。なお、情報の送受信に際して、当該情報の暗号化やその他のデータ変換がなされることがある。
【００５７】
情報処理装置６は、プログラムに従い、情報処理装置１からもたらされる、イベント若しくはその開催場所Ｅ及び参加者Ｕを識別する識別情報等を受信する。受信した情報は、参加者識別情報により識別される参加者Ｕが、イベント若しくはその開催場所Ｅの識別情報により識別されるイベントの開催場所Ｅに赴いた事実を示す情報である。即ち、この態様では、情報処理装置６が（または、情報処理装置１と情報処理装置６とが協働して）、本システムにおける参加情報取得部１０２としての機能を発揮する。
【００５８】
情報処理装置６は、図７に例示するように、メインメモリ６ｂ若しくは補助記憶デバイス６ｃの所要の記憶領域に、各参加者Ｕが現在保有している参加ポイントの量を、当該参加者Ｕを識別する識別情報に関連づけて記憶している。即ち、情報処理装置６が、本システムにおけるポイント記憶部１０１としての機能を発揮する。
【００５９】
しかして、情報処理装置６は、情報処理装置１から受信した情報に含まれる、参加者Ｕを識別する識別情報に対応する参加者Ｕについて、イベント若しくはその開催場所Ｅを識別する識別情報に対応する場所に赴いたことへの対価として参加ポイントを付与する。つまり、当該参加者Ｕを識別する識別情報に関連づけて記憶している、同参加者Ｕの保有する参加ポイントを加増する。即ち、この態様では、情報処理装置６が、本システムにおけるポイント付与処理部１０３としての機能を発揮する。
【００６０】
イベントに参加または訪問した参加者Ｕに付与するポイントの量は、各イベント毎に一律であってもよいし、イベント毎に相異していてもよい。後者の場合、情報処理装置６は、メインメモリ６ｂ若しくは補助記憶デバイス６ｃに、各イベント毎のポイント換算テーブル、即ち当該イベントに参加または訪問したことに対して付与する参加ポイントの量を、同イベント若しくは同イベントの開催場所Ｅを識別する識別情報に関連づけて記憶している。情報処理装置６は、参加者Ｕの所持する情報処理装置１から、当該参加者Ｕの識別情報とともに、当該参加者Ｕが訪れたイベント若しくは同イベントの開催場所Ｅを識別する識別情報を受信する。そして、識別情報に対応するイベント若しくは開催場所Ｅの参加ポイントの量をポイント換算テーブルから読み出し、その参加ポイントを当該参加者Ｕを識別する識別情報に関連づけて記憶している参加ポイントに加増する。
【００６１】
参加者Ｕにポイントを付与する条件として、参加者Ｕがイベントの開催場所Ｅを訪れる日、時間帯、曜日、月、季節や年その他の期間等の時期的条件を設定してもよい。そのためには、情報処理装置６が、図８に例示するように、メインメモリ６ｂ若しくは補助記憶デバイス６ｃに、各イベント毎に、参加者Ｕが参加ポイントを獲得するためにそのイベントに参加または訪問するべき日、時間帯、曜日、月、季節や年その他の期間等の時期的条件の情報を、同イベント若しくは同イベントの開催場所Ｅを識別する識別情報に関連づけて記憶する。情報処理装置６は、参加者Ｕの所持する情報処理装置１から、当該開催場所Ｅを訪れた参加者Ｕの識別情報や、同イベント若しくは同イベントの開催場所Ｅを識別する識別情報とともに、参加者Ｕがその開催場所Ｅを訪れた日時を示すタイムスタンプを受信する。そして、そのタイムスタンプが、イベント若しくは開催場所Ｅの識別情報に対応する時期的条件に合致する場合に限り、当該イベントに参加または訪問したことの対価としての参加ポイントを、当該参加者Ｕを識別する識別情報に関連づけて記憶している参加ポイントに加増する。
【００６２】
［３−３］図１０に示すように、参加者Ｕの所持する情報処置装置１に実装している航法信号受信装置１ｊを利用して、当該参加者Ｕがイベントの開催場所Ｅに赴いた事実を知得し、その情報を情報処理装置１から情報処理装置６に向けて電気通信回線０を介して送信し、情報処理装置６がこれを受信する。
【００６３】
情報処理装置１は、図１１に例示するように、メインメモリ１ｂ若しくは補助記憶デバイス１ｃの所要の記憶領域に、一または複数のイベントの開催場所Ｅの緯度及び経度の情報を記憶している。その上で、情報処理装置１は、プログラムに従い、航法信号受信装置１ｊを介して、当該情報処理装置１を所持する参加者Ｕの現在位置の緯度及び経度を取得する。そして、記憶しているイベントの開催場所Ｅの緯度及び経度と、参加者Ｕの現在位置の緯度及び経度とが合致したとき（両者の距離が所定の閾値以下に縮小したとき）、当該参加者Ｕを識別する識別情報を、必要であればタイムスタンプや、イベント若しくはその開催場所Ｅを識別する識別情報等を付して、情報処理装置１から情報処理装置６に送信する。ここに言うイベント若しくは開催場所Ｅの識別情報は、当該開催場所Ｅの緯度及び経度そのものであることがある。なお、情報の送受信に際して、当該情報の暗号化やその他のデータ変換がなされることがある。
【００６４】
情報処理装置６は、プログラムに従い、情報処理装置１からもたらされる参加者識別情報等を受信する。受信した情報は、参加者識別情報により識別される参加者Ｕが、イベントの開催場所Ｅに赴いた事実を示す情報である。即ち、この態様では、情報処理装置６が（または、情報処理装置１と情報処理装置６とが協働して）、本システムにおける参加情報取得部１０２としての機能を発揮する。
【００６５】
また、情報処理装置６は、図７に例示するように、メインメモリ６ｂ若しくは補助記憶デバイス６ｃの所要の記憶領域に、各参加者Ｕ毎に、当該参加者Ｕが現在保有している参加ポイントの量を、当該参加者Ｕを識別する識別情報に関連づけて記憶している。即ち、情報処理装置６が、本システムにおけるポイント記憶部１０１としての機能を発揮する。
【００６６】
しかして、情報処理装置６は、情報処理装置１から受信した情報に含まれる、参加者Ｕを識別する識別情報に対応する参加者Ｕについて、イベントの開催場所Ｅに赴いたことへの対価として参加ポイントを付与する。つまり、当該参加者Ｕを識別する識別情報に関連づけて記憶している、同参加者Ｕの保有する参加ポイントを加増する。即ち、この態様では、情報処理装置６が、本システムにおけるポイント付与処理部１０３としての機能を発揮する。
【００６７】
イベントに参加または訪問した参加者Ｕに付与するポイントの量は、各イベント毎に一律であってもよいし、イベント毎に相異していてもよい。後者の場合、情報処理装置６は、図８に例示するように、メインメモリ６ｂ若しくは補助記憶デバイス６ｃに、各イベント毎のポイント換算テーブル、即ち当該イベントに参加または訪問したことに対して付与する参加ポイントの量を、同イベント若しくは同イベントの開催場所Ｅを識別する識別情報に関連づけて記憶している。ここに言うイベント若しくは開催場所Ｅの識別情報は、当該開催場所Ｅの緯度及び経度そのものであることがある。情報処理装置６は、参加者Ｕが所持する情報処理装置１から、当該開催場所Ｅを訪れた参加者Ｕの識別情報とともに、同イベント若しくは同イベントの開催場所Ｅを識別する識別情報を受信する。そして、識別情報に対応するイベント若しくは開催場所Ｅの参加ポイントの量をポイント換算テーブルから読み出し、その参加ポイントを当該参加者Ｕを識別する識別情報に関連づけて記憶している参加ポイントに加増する。
【００６８】
参加者Ｕにポイントを付与する条件として、参加者Ｕがイベントの開催場所Ｅを訪れる日、時間帯、曜日、月、季節や年その他の期間等の時期的条件を設定してもよい。そのためには、情報処理装置６が、図８に例示するように、メインメモリ６ｂ若しくは補助記憶デバイス６ｃに、各イベント毎に、参加者Ｕが参加ポイントを獲得するためにそのイベントに参加または訪問するべき日、時間帯、曜日、月、季節や年その他の期間等の時期的条件の情報を、同イベント若しくは同イベントの開催場所Ｅを識別する識別情報に関連づけて記憶する。ここに言うイベント若しくは開催場所Ｅの識別情報は、当該開催場所Ｅの緯度及び経度そのものであることがある。情報処理装置６は、参加者Ｕが所持する情報処理装置１から、当該開催場所Ｅを訪れた参加者Ｕの識別情報や、同イベント若しくは同イベントの開催場所Ｅを識別する識別情報とともに、参加者Ｕがその開催場所Ｅを訪れた日時を示すタイムスタンプを受信する。そして、そのタイムスタンプが、イベント若しくは開催場所Ｅの識別情報に対応する時期的条件に合致する場合に限り、当該イベントに参加または訪問したことの対価としての参加ポイントを、当該参加者Ｕを識別する識別情報に関連づけて記憶している参加ポイントに加増する。
【００６９】
［３−４］この態様は、上記［３−３］の態様の変形である。［３−３］の態様では、図１１に例示しているイベントの開催場所Ｅの緯度及び経度の情報を、参加者Ｕの所持する情報処理装置１が記憶していた。が、この態様では、それに代えて、情報処理装置６が、イベントの開催場所Ｅの緯度及び経度の情報を記憶保持する。
【００７０】
情報処理装置１は、プログラムに従い、航法信号受信装置１ｊを介して、当該情報処理装置１を所持する参加者Ｕの現在位置の緯度及び経度を取得する。そして、図１２に示すように、取得した緯度及び経度と、当該参加者Ｕを識別する識別情報とを、必要であればタイムスタンプ等を付して、情報処理装置１から情報処理装置６に送信する。なお、情報の送受信に際して、当該情報の暗号化やその他のデータ変換がなされることがある。
【００７１】
情報処理装置６は、プログラムに従い、情報処理装置１からもたらされる参加者識別情報、並びにその識別情報により識別される参加者Ｕが訪れた場所の緯度及び経度等の情報を受信する。情報処理装置６が記憶しているイベントの開催場所Ｅの緯度及び経度と、参加者Ｕが訪れた場所の現在位置の緯度及び経度とが合致したとき（両者の距離が所定の閾値以下に縮小したとき）、当該参加者Ｕが当該イベントの開催場所Ｅに赴いた事実が判明する。即ち、この態様では、情報処理装置６が（または、情報処理装置１と情報処理装置６とが協働して）、本システムにおける参加情報取得部１０２としての機能を発揮する。
【００７２】
しかして、情報処理装置６は、上記［３−３］の態様と同様に、当該参加者Ｕを識別する識別情報に関連づけて記憶している、同参加者Ｕの保有する参加ポイントを加増する。即ち、この態様では、情報処理装置６が、本システムにおけるポイント付与処理部１０３としての機能を発揮する。
【００７３】
イベントに参加または訪問した参加者Ｕに付与するポイントの量は、各イベント毎に一律であってもよいし、イベント毎に相異していてもよい。後者の場合、情報処理装置６は、図８に例示するように、メインメモリ６ｂ若しくは補助記憶デバイス６ｃに、各イベント毎のポイント換算テーブル、即ち当該イベントに参加または訪問したことに対して付与する参加ポイントの量を、同イベント若しくは同イベントの開催場所Ｅを識別する識別情報に関連づけて記憶している。ここに言うイベント若しくは開催場所Ｅの識別情報は、当該開催場所Ｅの緯度及び経度そのものであることがある。情報処理装置６は、参加者Ｕが所持する情報処理装置１から、当該参加者Ｕの識別情報とともに、当該参加者Ｕが訪れた場所の緯度及び経度等の情報を受信する。その緯度及び経度が、図１１に例示するイベントの開催場所Ｅの緯度及び経度と合致しているとき、そのイベント若しくは開催場所Ｅに対応する参加ポイントの量を図８に例示するポイント換算テーブルから読み出し、その参加ポイントを当該参加者Ｕを識別する識別情報に関連づけて記憶している参加ポイントに加増する。
【００７４】
参加者Ｕにポイントを付与する条件として、参加者Ｕがイベントの開催場所Ｅを訪れる日、時間帯、曜日、月、季節や年その他の期間等の時期的条件を設定してもよい。そのためには、情報処理装置６が、図８に例示するように、メインメモリ６ｂ若しくは補助記憶デバイス６ｃに、各イベント毎に、参加者Ｕが参加ポイントを獲得するためにそのイベントに参加または訪問するべき日、時間帯、曜日、月、季節や年その他の期間等の時期的条件の情報を、同イベント若しくは同イベントの開催場所Ｅを識別する識別情報に関連づけて記憶する。ここに言うイベント若しくは開催場所Ｅの識別情報は、当該開催場所Ｅの緯度及び経度そのものであることがある。情報処理装置６は、参加者Ｕが所持する情報処理装置１から、当該開催場所Ｅを訪れた参加者Ｕの識別情報や、当該参加者Ｕが訪れた場所の緯度及び経度とともに、同参加者Ｕがその緯度及び経度の指示する場所を訪れた日時を示すタイムスタンプを受信する。そして、受信したタイムスタンプが、受信した緯度及び経度が指示する場所で開催されるイベントに対応する時期的条件に合致する場合に限り、当該イベントに参加または訪問したことの対価としての参加ポイントを、当該参加者Ｕを識別する識別情報に関連づけて記憶している参加ポイントに加増する。
【００７５】
［３−５］図１３に示すように、予めイベントの開催場所Ｅに配置している、当該イベントに参加または訪問することにより獲得できる参加ポイントの情報を、当該開催場所Ｅに赴いた参加者Ｕが所持する情報処理装置１により読み取る。参加者Ｕに付与するポイントの量は、各イベント毎に一律であってもよいし、イベント毎に相異していてもよい。
【００７６】
例えば、情報処理装置１が、プログラムに従い、イベントの開催場所Ｅに所在する看板等にバーコードや二次元コード等の形で表示される、獲得できる参加ポイントの情報を、当該情報処理装置１に付帯するカメラまたはコードリーダ等を介して読み取る。あるいは、イベントの開催場所Ｅに所在するＲＦＩＤタグやＮＦＣタグの内部メモリ、または情報処理装置３のメインメモリ、補助記憶デバイス若しくはＩＣチップの内部メモリに記憶されている、獲得できる参加ポイントの情報を、情報処理装置１に付帯する通信インタフェース１ｆ、特に無線トランシーバやＲＦＩＤリーダ、ＮＦＣトランシーバ等を介して読み取る。情報処理装置１が読み取る情報には、そのイベント若しくは開催場所Ｅを識別する識別情報が付随することがある。そして、情報処理装置１は、その参加ポイントの情報等に、当該イベントを訪れた参加者Ｕを識別する識別情報を付し、必要であればタイムスタンプ等をも付して、情報処理装置１から情報処理装置６に送信する。なお、情報の送受信に際して、当該情報の暗号化やその他のデータ変換がなされることがある。
【００７７】
情報処理装置６は、プログラムに従い、情報処理装置１からもたらされる、参加者Ｕを識別する識別情報及び当該参加者Ｕが獲得した参加ポイントの情報等を受信する。受信した情報は、参加者識別情報により識別される参加者Ｕが、イベントの開催場所Ｅに赴いた事実を示す情報である。即ち、この態様では、情報処理装置６が（または、情報処理装置１と情報処理装置６とが協働して）、本システムにおける参加情報取得部１０２としての機能を発揮する。
【００７８】
情報処理装置６は、図７に例示するように、メインメモリ６ｂ若しくは補助記憶デバイス６ｃの所要の記憶領域に、各参加者Ｕが現在保有している参加ポイントの量を、当該参加者Ｕを識別する識別情報に関連づけて記憶している。即ち、情報処理装置６が、本システムにおけるポイント記憶部１０１としての機能を発揮する。
【００７９】
しかして、情報処理装置６は、情報処理装置１から受信した参加者識別情報に関連づけて記憶している、当該参加者Ｕが保有する参加ポイントに、同じく情報処理装置１から受信した参加ポイントを加増する。即ち、この態様では、情報処理装置６が、本システムにおけるポイント付与処理部１０３としての機能を発揮する。
【００８０】
参加者Ｕにポイントを付与する条件として、参加者Ｕがイベントの開催場所Ｅを訪れる日、時間帯、曜日、月、季節や年その他の期間等の時期的条件を設定してもよい。そのためには、情報処理装置６が、図１４に例示するように、メインメモリ６ｂ若しくは補助記憶デバイス６ｃに、各イベント毎に、参加者Ｕが参加ポイントを獲得するためにそのイベントに参加または訪問するべき日、時間帯、曜日、月、季節や年その他の期間等の時期的条件の情報を、同イベント若しくは同イベントの開催場所Ｅを識別する識別情報に関連づけて記憶する。情報処理装置６は、参加者Ｕの所持する情報処理装置１から、当該開催場所Ｅを訪れた参加者Ｕの識別情報や、同イベント若しくは同イベントの開催場所Ｅを識別する識別情報とともに、参加者Ｕがその開催場所Ｅを訪れた日時を示すタイムスタンプを受信する。そして、そのタイムスタンプが、イベント若しくは開催場所Ｅの識別情報に対応する時期的条件に合致する場合に限り、当該イベントに参加または訪問したことの対価としての参加ポイントを、当該参加者Ｕを識別する識別情報に関連づけて記憶している参加ポイントに加増する。
【００８１】
［３−６］この態様は、上記［３−５］の態様の変形である。上記［３−５］の態様では、各参加者Ｕが現在保有する参加ポイントに関する情報を、参加者Ｕが所持する情報処理装置１と通信可能な、参加者Ｕから見て外部の情報処理装置６に記憶して管理していた。が、この態様では、それに代えて、参加者Ｕの所持する情報処理装置１自体に、当該参加者Ｕが現在保有する参加ポイントに関する情報を記憶保持する。従って、情報処理装置１と情報処理装置６とが必ずしも通信する必要はない。
【００８２】
図１５に示すように、予めイベントの開催場所Ｅに配置している、当該イベントに参加または訪問することにより獲得できる参加ポイントの情報を、当該開催場所Ｅに赴いた参加者Ｕが所持する情報処理装置１により読み取る。その点では、上記［３−５］からの変更はない。参加者Ｕに付与するポイントの量は、各イベント毎に一律であってもよいし、イベント毎に相異していてもよい。
【００８３】
例えば、情報処理装置１が、プログラムに従い、イベントの開催場所Ｅに所在する看板等にバーコードや二次元コード等の形で表示される、獲得できる参加ポイントの情報を、当該情報処理装置１に付帯するカメラまたはコードリーダ等を介して読み取る。あるいは、イベントの開催場所Ｅに所在するＲＦＩＤタグやＮＦＣタグの内部メモリ、または情報処理装置３のメインメモリ、補助記憶デバイス若しくはＩＣチップの内部メモリに記憶されている、獲得できる参加ポイントの情報を、情報処理装置１に付帯する通信インタフェース１ｆ、特に無線トランシーバやＲＦＩＤリーダ、ＮＦＣトランシーバ等を介して読み取る。情報処理装置１が読み取る情報には、そのイベント若しくは開催場所Ｅを識別する識別情報が付随することがある。情報処理装置１が読み取った情報は、情報処理装置１を所持する参加者Ｕが、イベントの開催場所Ｅに赴いた事実を示す情報である。即ち、この態様では、情報処理装置１が、本システムにおける参加情報取得部１０２としての機能を発揮する。
【００８４】
情報処理装置１は、図１６に例示するように、メインメモリ１ｂ若しくは補助記憶デバイス１ｃの所要の記憶領域に、当該情報処理装置１を所持する参加者Ｕが現在保有している参加ポイントの量を記憶している。即ち、情報処理装置１が、本システムにおけるポイント記憶部１０１としての機能を発揮する。
【００８５】
そして、情報処理装置１は、イベントの開催場所Ｅにおいて読み取った参加ポイントを、自身が記憶保持している、当該参加者Ｕの保有する参加ポイントに加増する。即ち、この態様では、情報処理装置１が、本システムにおけるポイント付与処理部１０３としての機能を発揮する。
【００８６】
参加者Ｕにポイントを付与する条件として、参加者Ｕがイベントの開催場所Ｅを訪れる日、時間帯、曜日、月、季節や年その他の期間等の時期的条件を設定してもよい。そのためには、情報処理装置１が、図１４に例示するように、メインメモリ１ｂ若しくは補助記憶デバイス１ｃに、各イベント毎に、参加者Ｕが参加ポイントを獲得するためにそのイベントに参加または訪問するべき日、時間帯、曜日、月、季節や年その他の期間等の時期的条件の情報を、同イベント若しくは同イベントの開催場所Ｅを識別する識別情報に関連づけて記憶する。情報処理装置１は、イベントの開催場所Ｅにおいて参加ポイント及び当該イベント若しくは開催場所Ｅを識別する識別情報を読み取った日時が、同イベント若しくは開催場所Ｅの識別情報に対応する時期的条件に合致する場合に限り、当該イベントに参加または訪問したことの対価としての参加ポイントを、記憶保持している参加ポイントに加増する。
【００８７】
［３−７］この態様は、上記［３−３］の態様の変形である。上記［３−３］の態様では、各参加者Ｕが現在保有する参加ポイントに関する情報を、参加者Ｕから見て外部の情報処理装置６に記憶して管理していた。が、この態様では、それに代えて、参加者Ｕの所持する情報処理装置１自体に、当該参加者Ｕが現在保有する参加ポイントに関する情報を記憶保持する。従って、情報処理装置１と情報処理装置６とが必ずしも通信する必要はない。
【００８８】
情報処理装置１は、図１８に例示するように、メインメモリ１ｂ若しくは補助記憶デバイス１ｃの所要の記憶領域に、一または複数のイベントの開催場所Ｅの緯度及び経度の情報を記憶している。並びに、図１６に例示するように、メインメモリ１ｂ若しくは補助記憶デバイス１ｃの所要の記憶領域に、当該情報処理装置１を所持する参加者Ｕが現在保有している参加ポイントの量を記憶している。即ち、情報処理装置１が、本システムにおけるポイント記憶部１０１としての機能を発揮する。
【００８９】
その上で、情報処理装置１は、図１７に示すように、プログラムに従い、航法信号受信装置１ｊを介して、当該情報処理装置１を所持する参加者Ｕの現在位置の緯度及び経度を取得する。そして、記憶しているイベントの開催場所Ｅの緯度及び経度と、参加者Ｕの現在位置の緯度及び経度とが合致したとき（両者の距離が所定の閾値以下に縮小したとき）、当該参加者Ｕが当該イベントの開催場所Ｅに赴いた事実が判明する。即ち、この態様では、情報処理装置１が、本システムにおける参加情報取得部１０２としての機能を発揮する。
【００９０】
そして、情報処理装置１は、当該参加者Ｕが当該イベントの開催場所Ｅに赴いたことへの対価として参加ポイントを付与する。つまり、自身が記憶保持している、当該参加者Ｕの保有する参加ポイントを加増する。即ち、この態様では、情報処理装置１が、本システムにおけるポイント付与処理部１０３としての機能を発揮する。
【００９１】
イベントに参加または訪問した参加者Ｕに付与するポイントの量は、各イベント毎に一律であってもよいし、イベント毎に相異していてもよい。後者の場合、情報処理装置１は、図１８に例示するように、メインメモリ１ｂ若しくは補助記憶デバイス１ｃに、各イベント毎のポイント換算テーブル、即ち当該イベントに参加または訪問したことに対して付与する参加ポイントの量を、同イベントの開催場所Ｅの緯度及び経度の情報に関連づけて記憶している。情報処理装置１は、参加者Ｕが訪れたイベントの開催場所Ｅの緯度及び経度に対応する参加ポイントの量をポイント換算テーブルから読み出し、その参加ポイントを記憶保持している参加ポイントに加増する。
【００９２】
参加者Ｕにポイントを付与する条件として、参加者Ｕがイベントの開催場所Ｅを訪れる日、時間帯、曜日、月、季節や年その他の期間等の時期的条件を設定してもよい。そのためには、情報処理装置１が、図１８に例示するように、メインメモリ１ｂ若しくは補助記憶デバイス１ｃに、各イベント毎に、参加者Ｕが参加ポイントを獲得するためにそのイベントに参加または訪問するべき日、時間帯、曜日、月、季節や年その他の期間等の時期的条件の情報を、同イベントの開催場所Ｅの緯度及び経度の情報に関連づけて記憶する。情報処理装置１は、参加者Ｕがイベントの開催場所Ｅを訪れた日時が、同開催場所Ｅの緯度及び経度に対応する時期的条件に合致する場合に限り、当該イベントに参加または訪問したことの対価としての参加ポイントを、記憶保持している参加ポイントに加増する。
【００９３】
＜４．参加ポイントのクーポンへの交換＞次いで、参加者Ｕの保有する参加ポイントをクーポンに交換する処理に関して述べる。クーポンの発行の具体的態様は複数考えられるので、以下にそれを列挙する。
【００９４】
［４−１］図１９に示すように、クーポンとして紙のチケットＴを発行する発券機４が、クーポンの発行を希望する参加者Ｕを識別する識別情報を受け取り、その情報を情報処理装置６に向けて電気通信回線０を介して送信し、情報処理装置６がこれを受信する。
【００９５】
例えば、発券機４が、プログラムに従い、参加者Ｕが所持するカード２または情報処理装置１のディスプレイ１ｈの画面にバーコードや二次元コード等の形で表示される参加者識別情報を、当該発券機４に付帯するカメラ４ｈまたはコードリーダ等を介して読み取る。あるいは、参加者Ｕが所持するカード２の内部メモリまたは参加者Ｕが所持する情報処理装置１のメインメモリ１ｂ、補助記憶デバイス１ｃ若しくはＩＣチップの内部メモリに記憶されている参加者識別情報を、当該発券機４に付帯する通信インタフェース４ｅ、特に無線トランシーバやＲＦＩＤリーダ、ＮＦＣトランシーバ等を介して読み取る。参加者Ｕ自身の肉声、顔面または指紋等のバイオメトリクス情報を参加者識別情報として、マイク、カメラまたはセンサを介して読み取ることもあり得よう。加えて、発券機４が、参加者Ｕによる、発行を希望するクーポンの数量を指定する入力を、入力デバイス４ｆを介して受け付けることがある。そして、その参加者識別情報及びクーポンの希望発行数量に、必要であればタイムスタンプや、発券機４を識別する識別情報等を付して、発券機４から情報処理装置６に送信する。なお、情報の送受信に際して、当該情報の暗号化やその他のデータ変換がなされることがある。
【００９６】
情報処理装置６は、プログラムに従い、発券機４からもたらされる参加者識別情報等を受信する。受信した情報は、参加者識別情報により識別される参加者Ｕが、過去に獲得した参加ポイントをクーポンに交換する意思を示す入力に相当する。即ち、この態様では、情報処理装置６が（または、発券機４と情報処理装置６とが協働して）、本システムにおける交換受付部１０４としての機能を発揮する。
【００９７】
しかして、情報処理装置６は、発券機４から受信した情報に含まれる、参加者Ｕを識別する識別情報に対応する参加者Ｕについて、クーポンを発行することと引き替えに、当該参加者Ｕの識別情報に関連づけて記憶している、その意思を示した参加者Ｕが保有する参加ポイントを減算する。通常、参加ポイントとクーポンとの交換比率は一定である（例えば、参加ポイント百点に対してクーポン一点等）。特に、発券機４から、参加者Ｕが指定したクーポンの希望発行数量を受信している場合には、その発行数量に比例するポイント数を、当該参加者Ｕの保有する参加ポイントから減算する。即ち、この態様では、情報処理装置６が、本システムにおける交換処理部１０５としての機能を発揮する。
【００９８】
参加ポイントの減算処理と相前後して、情報処理装置６は、参加者識別情報等をもたらした発券機４に対して、クーポンの発行を許可する旨の信号を電気通信回線０を介して返信する。これを受信した発券機４は、クーポンとなる紙のチケットＴをプリンタ４ｈを介して出力し、参加者Ｕに供する。参加者Ｕがクーポンの希望発行数量を指定していた場合には、その発行数量に比例する枚数のチケットＴを発行したり、その発行数量を示す情報をチケットＴに印字したりする。
【００９９】
［４−２］図２０に示すように、電子データとしてのクーポンの発行を希望する参加者Ｕが使用する情報処理装置１が、当該参加者Ｕを識別する識別情報を情報処理装置６に向けて電気通信回線０を介して送信し、情報処理装置６がこれを受信する。
【０１００】
情報処理装置１は、プログラムに従い、参加者Ｕによる、クーポンの発行を希望する旨を示す入力を、入力デバイス１ｇを介して受け付ける。このとき、同時に、参加者Ｕが発行を希望するクーポンの数量を指定する入力を受け付けることがある。そして、その参加者識別情報及びクーポンの希望発行数量に、必要であればタイムスタンプ等を付して、情報処理装置１から情報処理装置６に送信する。なお、情報の送受信に際して、当該情報の暗号化やその他のデータ変換がなされることがある。
【０１０１】
情報処理装置６は、プログラムに従い、情報処理装置１からもたらされる参加者識別情報等を受信する。受信した情報は、参加者識別情報により識別される参加者Ｕが、過去に獲得した参加ポイントをクーポンに交換する意思を示す入力に相当する。即ち、この態様では、情報処理装置６が（または、情報処理装置１と情報処理装置６とが協働して）、本システムにおける交換受付部１０４としての機能を発揮する。
【０１０２】
また、情報処理装置６は、図２１に例示するように、メインメモリ６ｂ若しくは補助記憶デバイス６ｃの所要の記憶領域に、各参加者Ｕ毎に、当該参加者Ｕが現在保有しているクーポンの量を、当該参加者Ｕを識別する識別情報に関連づけて記憶している。
【０１０３】
しかして、情報処理装置６は、情報処理装置１から受信した情報に含まれる、参加者Ｕを識別する識別情報に対応する参加者Ｕについて、クーポンを発行することと引き替えに、当該参加者Ｕの識別情報に関連づけて記憶している、その意思を示した参加者Ｕが保有する参加ポイントを減算する。特に、情報処理装置１から、参加者Ｕが指定したクーポンの希望発行数量を受信している場合には、その発行数量に比例するポイント数を、当該参加者Ｕの保有する参加ポイントから減算する。即ち、この態様では、情報処理装置６が、本システムにおける交換処理部１０５としての機能を発揮する。
【０１０４】
参加ポイントの減算処理と相前後して、情報処理装置６は、情報処理装置１から受信した情報に含まれる、参加者Ｕを識別する識別情報に対応する参加者Ｕについて、同参加者Ｕが保有する参加ポイントと引き替えにクーポンを付与する。つまり、当該参加者Ｕを識別する識別情報に関連づけて記憶している、同参加者Ｕの保有するクーポンを加増する。情報処理装置１から、参加者Ｕが指定したクーポンの希望発行数量を受信している場合には、その発行数量分、当該参加者Ｕの保有するクーポンを加増することになる。
【０１０５】
［４−３］この態様は、上記［４−２］の態様の変形である。上記［４−２］の態様では、各参加者Ｕが獲得したクーポンに関する情報を、参加者Ｕから見て外部の情報処理装置６に記憶して管理していた。が、この態様では、それに代えて、参加者Ｕの所持する情報処理装置１自体に、当該参加者Ｕが獲得したクーポンに関する情報を記憶保持する。
【０１０６】
情報処理装置１は、図２３に例示するように、メインメモリ１ｂ若しくは補助記憶デバイス１ｃの所要の記憶領域に、当該情報処理装置１を所持する参加者Ｕが現在保有しているクーポンの量を記憶している。
【０１０７】
その上で、情報処理装置１は、図２２に示すように、プログラムに従い、参加者Ｕによる、クーポンの発行を希望する旨を示す入力を、入力デバイス１ｇを介して受け付ける。このとき、同時に、参加者Ｕが発行を希望するクーポンの数量を指定する入力を受け付けることがある。そして、その参加者識別情報及びクーポンの希望発行数量に、必要であればタイムスタンプ等を付して、情報処理装置１から情報処理装置６に送信する。なお、情報の送受信に際して、当該情報の暗号化やその他のデータ変換がなされることがある。
【０１０８】
情報処理装置６は、プログラムに従い、情報処理装置１からもたらされる参加者識別情報等を受信する。受信した情報は、参加者識別情報により識別される参加者Ｕが、過去に獲得した参加ポイントをクーポンに交換する意思を示す入力に相当する。即ち、この態様では、情報処理装置６が（または、情報処理装置１と情報処理装置６とが協働して）、本システムにおける交換受付部１０４としての機能を発揮する。
【０１０９】
しかして、情報処理装置６は、情報処理装置１から受信した情報に含まれる、参加者Ｕを識別する識別情報に対応する参加者Ｕについて、クーポンを発行することと引き替えに、当該参加者Ｕの識別情報に関連づけて記憶している、その意思を示した参加者Ｕが保有する参加ポイントを減算する。特に、情報処理装置１から、参加者Ｕが指定したクーポンの希望発行数量を受信している場合には、その発行数量に比例するポイント数を、当該参加者Ｕの保有する参加ポイントから減算する。即ち、この態様では、情報処理装置６が、本システムにおける交換処理部１０５としての機能を発揮する。
【０１１０】
参加ポイントの減算処理と相前後して、情報処理装置６は、参加者識別情報等をもたらした情報処理装置１に対して、クーポンの発行を許可する旨の信号を電気通信回線０を介して返信する。これを受信した情報処理装置１は、参加者Ｕが保有する参加ポイントと引き替えにクーポンを付与する。つまり、情報処理装置１に記憶保持している、同参加者Ｕの保有するクーポンを加増する。参加者Ｕがクーポンの希望発行数量を指定している場合には、その発行数量分、当該参加者Ｕの保有するクーポンを加増することになる。
【０１１１】
［４−４］この態様は、上記［４−２］の態様の変形である。この態様では、［３−６］及び［３−７］の項で述べたように、参加者Ｕが現在保有する参加ポイントに関する情報を参加者Ｕの所持する情報処理装置１に記憶しながら、当該参加者Ｕが獲得したクーポンの情報を参加者Ｕから見て外部の情報処理装置６に記憶する。
【０１１２】
情報処理装置１は、図１６に例示するように、メインメモリ１ｂ若しくは補助記憶デバイス１ｃの所要の記憶領域に、当該情報処理装置１を所持する参加者Ｕが現在保有している参加ポイントの量を記憶している。
【０１１３】
その上で、情報処理装置１は、図２４に示すように、プログラムに従い、参加者Ｕによる、クーポンの発行を希望する旨を示す入力を、入力デバイス１ｇを介して受け付ける。このとき、同時に、参加者Ｕが発行を希望するクーポンの数量を指定する入力を受け付けることがある。入力を受け付けた情報処理装置１は、クーポンの発行を希望した参加者Ｕを識別する識別情報及びクーポンの希望発行数量に、必要であればタイムスタンプ等を付して、情報処理装置１から情報処理装置６に送信する。なお、情報の送受信に際して、当該情報の暗号化やその他のデータ変換がなされることがある。
【０１１４】
情報処理装置６は、図２１に例示するように、メインメモリ６ｂ若しくは補助記憶デバイス６ｃの所要の記憶領域に、各参加者Ｕ毎に、当該参加者Ｕが現在保有しているクーポンの量を、当該参加者Ｕを識別する識別情報に関連づけて記憶している。
【０１１５】
情報処理装置６は、プログラムに従い、情報処理装置１からもたらされる参加者識別情報等を受信する。受信した情報は、参加者識別情報により識別される参加者Ｕが、過去に獲得した参加ポイントをクーポンに交換する意思を示す入力に相当する。即ち、この態様では、情報処理装置６が（または、情報処理装置１と情報処理装置６とが協働して）、本システムにおける交換受付部１０４としての機能を発揮する。
【０１１６】
情報処理装置６は、情報処理装置１から受信した情報に含まれる、参加者Ｕを識別する識別情報に対応する参加者Ｕについて、同参加者Ｕが保有する参加ポイントと引き替えにクーポンを付与する。つまり、当該参加者Ｕを識別する識別情報に関連づけて記憶している、同参加者Ｕの保有するクーポンを加増する。情報処理装置１から、参加者Ｕが指定したクーポンの希望発行数量を受信している場合には、その発行数量分、当該参加者Ｕの保有するクーポンを加増することになる。
【０１１７】
また、これと相前後して、情報処理装置６は、参加者識別情報等をもたらした情報処理装置１に対して、クーポンの発行を許可した旨の信号を電気通信回線０を介して返信する。これを受信した情報処理装置１は、クーポンの発行と引き替えに、当該情報処理装置１に記憶保持している、その意思を示した参加者Ｕが保有する参加ポイントを減算する。特に、参加者Ｕがクーポンの希望発行数量を指定している場合には、その発行数量に比例するポイント数を、当該参加者Ｕの保有する参加ポイントから減算する。即ち、この態様では、情報処理装置１が（または、情報処理装置１と情報処理装置６とが協働して）、本システムにおける交換処理部１０５としての機能を発揮する。
【０１１８】
［４−５］この態様は、上記［４−３］の態様の変形である。この態様では、［３−６］及び［３−７］の項で述べたように、参加者Ｕの所持する情報処理装置１自体が、当該参加者Ｕが現在保有する参加ポイントに関する情報を記憶しており、さらに、当該参加者Ｕが獲得したクーポンの情報をも記憶している。従って、情報処理装置１と情報処理装置６とが必ずしも通信する必要がない。
【０１１９】
情報処理装置１は、図１６に例示するように、メインメモリ１ｂ若しくは補助記憶デバイス１ｃの所要の記憶領域に、当該情報処理装置１を所持する参加者Ｕが現在保有している参加ポイントの量を記憶している。並びに、情報処理装置１は、図２３に例示するように、メインメモリ１ｂ若しくは補助記憶デバイス１ｃの所要の記憶領域に、当該情報処理装置１を所持する参加者Ｕが現在保有しているクーポンの量を記憶している。
【０１２０】
その上で、情報処理装置１は、図２５に示すように、プログラムに従い、参加者Ｕによる、クーポンの発行を希望する旨を示す入力を、入力デバイス１ｇを介して受け付ける。このとき、同時に、参加者Ｕが発行を希望するクーポンの数量を指定する入力を受け付けることがある。これらの入力は、情報処理装置１を使用する参加者Ｕが、過去に獲得した参加ポイントをクーポンに交換する意思を示すものである。即ち、この態様では、情報処理装置１が、本システムにおける交換受付部１０４としての機能を発揮する。
【０１２１】
入力を受け付けた情報処理装置１は、クーポンの発行と引き替えに、当該情報処理装置１に記憶保持している、その意思を示した参加者Ｕが保有する参加ポイントを減算する。特に、参加者Ｕがクーポンの希望発行数量を指定している場合には、その発行数量に比例するポイント数を、当該参加者Ｕの保有する参加ポイントから減算する。即ち、この態様では、情報処理装置１が、本システムにおける交換処理部１０５としての機能を発揮する。
【０１２２】
また、これと相前後して、情報処理装置１は、参加者Ｕが保有する参加ポイントと引き替えにクーポンを付与する。つまり、当該情報処理装置１に記憶保持している、当該参加者Ｕの保有するクーポンを加増する。情報処理装置１から、参加者Ｕが指定したクーポンの希望発行数量を受信している場合には、その発行数量分、当該参加者Ｕの保有するクーポンを加増することになる。
【０１２３】
＜５．クーポンを使用可能な店舗Ｓの情報の提供＞引き続き、参加者Ｕの獲得したクーポンを使用可能な店舗Ｓについての情報を参加者Ｕに提供する処理に関して述べる。
【０１２４】
既述の通り、本イベント参加促進システムでは、参加屋が店舗Ｓにおいてクーポンを使用することで享受できる利得、換言すれば各店舗Ｓがクーポンを支出する参加者Ｕに対して提供する利得を、各店舗Ｓが主体となって任意に設定することができる。並びに、本システムでは、参加屋が店舗Ｓにおいてクーポンを使用できる条件、換言すれば各店舗Ｓが参加者Ｕによるクーポンの使用を許可する利得を、各店舗Ｓが主体となって任意に設定することができる。従って、店舗Ｓ毎に、参加者Ｕがクーポンと引き替えに享受できる利得や、参加者Ｕがクーポンを使用するための条件が異なり得る。それ故、各店舗Ｓ毎の利得や使用条件の情報を、参加者Ｕが随時閲覧できることが好ましい。
【０１２５】
情報処理装置７は、メインメモリ若しくは補助記憶デバイスの所要の記憶領域に予め、各店舗Ｓ毎の利得及び／または使用条件の情報を、店舗Ｓを識別する識別情報に関連づけて記憶している。この情報は、参加者Ｕが使用する情報処理端末１において出力できるテキストデータ、静止画像データ、音声データ、動画像データ等を含む。即ち、情報処理装置７が、本システムにおける店舗情報記憶部１０６としての機能を発揮する。
【０１２６】
店舗Ｓにおいてクーポンを使用することで享受できる利得及び／またはクーポンの使用条件を知りたいと希望する参加者Ｕは、情報処理装置１を操作してその旨を入力する。情報処理装置１は、図２６に示すように、プログラムに従い、参加者Ｕよるそのような入力を入力デバイス１ｇを介して受け付ける。このとき、参加者Ｕが情報の閲覧を要求する店舗Ｓを指定する入力を受け付けることがある。
【０１２７】
入力を受け付けた情報処理装置１は、情報処理装置７に向けて、店舗Ｓにおけるクーポンを使用した場合の利得及び／またはクーポンの使用条件の情報を要求する旨を電気通信回線０を介して送信する。参加者Ｕが情報を要求する店舗Ｓを指定した場合には、その対象の店舗Ｓを識別する識別情報を含めて情報処理装置７に送信する。なお、情報の送受信に際して、当該情報の暗号化やその他のデータ変換がなされることがある。
【０１２８】
情報処理装置７は、プログラムに従い、情報処理装置１からもたらされる要求を受信する。要求を受信した情報処理装置７は、自身が記憶保持している、店舗Ｓにおけるクーポンを使用した場合の利得及び／またはクーポンの使用条件の情報を読み出し、当該情報処理装置１に向けて電気通信回線０を介して返信する。参加者Ｕが情報を要求した店舗Ｓを識別する識別情報を受信した場合には、その識別情報に対応する店舗Ｓに関する情報を読み出して情報処置装置１に返信する。即ち、情報処理装置７が（または、情報処理装置１と情報処理装置７とが協働して）、本システムにおける店舗情報提供部１０７としての機能を発揮する。
【０１２９】
情報処理装置７から返信される情報を受信した情報処理装置１は、その情報を参加者Ｕの視覚または聴覚に訴えかける態様にて出力する。即ち、図２７に示すように、店舗Ｓにおけるクーポンを使用した場合の利得及び／またはクーポンの使用条件を表示するテキストや画像をディスプレイ１ｈの画面に表示したり、利得及び／または使用条件を案内する音声を音声出力デバイス１ｉを介して出力したりする。
【０１３０】
この店舗Ｓに関する情報の提供及び閲覧の処理に際して、情報処理装置７がウェブサーバプログラムを実行してウェブサーバとして働き、情報処理装置１がウェブブラウザプログラムを実行してウェブブラウザとして働くことがある。
【０１３１】
＜６．クーポンの使用、消尽＞最後に、参加者Ｕが店舗Ｓにおいて使用したクーポンを消尽する処理に関して述べる。クーポンの消尽の具体的態様は複数考えられるので、以下にそれを列挙する。
【０１３２】
［６−１］［４−１］の項で述べたように、参加者Ｕに対して発券機４からクーポンとして紙のチケットＴを発行し参加者Ｕに提供している場合には、図２８に示すように、参加者ＵがこのチケットＴを店舗Ｓに持参し、店舗Ｓに引き渡す。店舗Ｓは、チケットＴと引き替えに、当該参加者Ｕに利得を提供する。
【０１３３】
［６−２］［４−２］及び［４−４］の項で述べたように、参加者Ｕが獲得した電子クーポンに関する情報を参加者Ｕから見て外部の情報処理装置６に記憶して管理している場合において、図２９に示すように、店舗Ｓに設置した情報処理装置５が、当該店舗Ｓを訪れてクーポンを使用しようとする参加者Ｕを識別する識別情報を読み取り、その情報を情報処理装置６に向けて電気通信回線０を介して送信し、情報処理装置６がこれを受信する。
【０１３４】
例えば、情報処理装置５が、プログラムに従い、参加者Ｕが所持するカード２または情報処理装置１のディスプレイ１ｈの画面にバーコードや二次元コード等の形で表示される参加者識別情報を、当該情報処理装置５に付帯するカメラまたはコードリーダ等を介して読み取る。あるいは、参加者Ｕが所持するカード２の内部メモリまたは参加者Ｕが所持する情報処理装置１のメインメモリ１ｂ、補助記憶デバイス１ｃ若しくはＩＣチップの内部メモリに記憶されている参加者識別情報を、当該情報処理装置５に付帯する通信インタフェース、特に無線トランシーバやＲＦＩＤリーダ、ＮＦＣトランシーバ等を介して読み取る。参加者Ｕ自身の肉声、顔面または指紋等のバイオメトリクス情報を参加者識別情報として、マイク、カメラまたはセンサを介して読み取ることもあり得よう。このとき、情報処理装置５が、参加者Ｕが使用を希望するクーポンの数量、つまりはこの店舗Ｓで使用されるクーポンの数量を指定する入力を、入力デバイスを介して受け付けることがある。そして、その参加者識別情報及びクーポンの使用数量に、必要であればタイムスタンプや、店舗Ｓを識別する識別情報等を付して、情報処理装置５から情報処理装置６に送信する。なお、情報の送受信に際して、当該情報の暗号化やその他のデータ変換がなされることがある。
【０１３５】
情報処理装置６は、プログラムに従い、情報処理装置５からもたらされる参加者識別情報等を受信する。受信した情報は、参加者識別情報により識別される参加者Ｕが、情報処理装置５を設置している店舗Ｓにおいてクーポンを使用する事実を示す情報である。
【０１３６】
情報処理装置６は、図２１に例示するように、メインメモリ６ｂ若しくは補助記憶デバイス６ｃの所要の記憶領域に、各参加者Ｕ毎に、当該参加者Ｕが現在保有しているクーポンの量を、当該参加者Ｕを識別する識別情報に関連づけて記憶している。
【０１３７】
しかして、情報処理装置６は、情報処理装置５から受信した情報に含まれる、参加者Ｕを識別する識別情報に対応する参加者Ｕについて、情報処理装置５を設置した店舗Ｓで使用されるクーポンを消尽する。つまり、当該参加者Ｕを識別する識別情報に関連づけて記憶している、同参加者Ｕの保有するクーポンを減算する。特に、情報処理装置５から、使用されるクーポンの数量を受信している場合には、その使用数量分を、当該参加者Ｕの保有するクーポンから減算する。
【０１３８】
クーポンの減算処理と相前後して、情報処理装置６は、参加者識別情報等をもたらした店舗Ｓの情報処理装置５に対して、クーポンを消尽した旨の信号を電気通信回線０を介して返信する。情報処理装置５は、これを受信する。
【０１３９】
以上の処理とともに、店舗Ｓは、参加者Ｕに利得を提供する。
【０１４０】
［６−３］［４−３］及び［４−５］の項で述べたように、参加者Ｕが獲得した電子クーポンに関する情報を参加者Ｕが所持する情報処理装置１に記憶している場合において、図３０に示すように、店舗Ｓに設置した情報処理装置５が、当該店舗Ｓを訪れてクーポンを使用する参加者Ｕの情報処理装置１から、クーポンをいわば電子的に受け取る。
【０１４１】
店舗Ｓを訪れた参加者Ｕが所持する情報処理装置１は、プログラムに従い、当該店舗Ｓにおいて参加者Ｕがクーポンを使用する旨を示す情報を、情報処理装置５に向けて送信する。店舗Ｓに設置した情報処理装置５は、プログラムに従い、その情報を受信する。情報処理装置１と情報処理装置５との通信は、無線トランシーバやＲＦＩＤリーダ、ＮＦＣトランシーバ等の通信インタフェース１ｆを介して行うことも可能である。なお、情報の送受信に際して、当該情報の暗号化やその他のデータ変換がなされることがある。
【０１４２】
情報処理装置１と情報処理装置５との通信が成立した後、情報処理装置１は、情報処理装置５を設置した店舗Ｓで使用されるクーポンを消尽する。つまり、図２３に示しているように、当該情報処理装置１に記憶保持している、同参加者Ｕの保有するクーポンを減算する。
【０１４３】
なお、情報処理装置１または情報処理装置５の何れかにおいて、参加者Ｕが使用を希望するクーポンの数量、つまりはこの店舗Ｓで使用されるクーポンの数量を指定する入力を、入力デバイス１ｇを介して受け付けることがある。参加者Ｕの所持する情報処理装置１の側でクーポンの使用数量を指定する入力を受け付けた場合には、当該情報処理装置１がプログラムに従いその使用数量を含む情報を店舗Ｓに設置した情報処理装置５に送信し、同情報処理装置５がプログラムに従いこれを受信する。店舗Ｓに設置した情報処理装置５の側でクーポンの使用数量を指定する入力を受け付けた場合には、同情報処理装置５がプログラムに従いその使用数量の情報を情報処理装置１に送信し、参加者Ｕの所持する情報処理装置１がプログラムに従いこれを受信する。その上で、情報処理装置１が、その使用数量分を、当該参加者Ｕの保有するクーポンから減算する。
【０１４４】
以上の処理とともに、店舗Ｓは、参加者Ｕに利得を提供する。
【０１４５】
なお、本発明は以上に詳述した実施形態に限られるものではない。各部の具体的な構成や処理の手順等は、本発明の趣旨を逸脱しない範囲で種々変形が可能である。
【符号の説明】
【０１４６】
０…電気通信回線
１…参加者の所持する情報処理装置
２…参加者の所持するカード
３…イベントの開催場所に設置する情報処置装置
４…発券機
５…クーポンを使用可能な店舗Ｓに設置する情報処理装置
６…参加ポイントやクーポンを管理する情報処理装置
７…店舗に関する情報を提供する情報処理装置
１０１…ポイント記憶部
１０２…参加情報取得部
１０３…ポイント付与処理部
１０４…交換受付部
１０５…交換処理部
１０６…店舗情報記憶部
１０７…店舗情報提供部
Ｅ…イベントの開催場所
Ｓ…店舗
Ｔ…クーポンとしての紙のチケット
Ｕ…参加者
【図１】
2020057175.tif 000003
【図２】
2020057175.tif 000004
【図３】
2020057175.tif 000005
【図４】
2020057175.tif 000006
【図５】
2020057175.tif 000007
【図６】
2020057175.tif 000008
【図７】
2020057175.tif 000009
【図８】
2020057175.tif 000010
【図９】
2020057175.tif 000011
【図１０】
2020057175.tif 000012
【図１１】
2020057175.tif 000013
【図１２】
2020057175.tif 000014
【図１３】
2020057175.tif 000015
【図１４】
2020057175.tif 000016
【図１５】
2020057175.tif 000017
【図１６】
2020057175.tif 000018
【図１７】
2020057175.tif 000019
【図１８】
2020057175.tif 000020
【図１９】
2020057175.tif 000021
【図２０】
2020057175.tif 000022
【図２１】
2020057175.tif 000023
【図２２】
2020057175.tif 000024
【図２３】
2020057175.tif 000025
【図２４】
2020057175.tif 000026
【図２５】
2020057175.tif 000027
【図２６】
2020057175.tif 000028
【図２７】
2020057175.tif 000029
【図２８】
2020057175.tif 000030
【図２９】
2020057175.tif 000031
【図３０】
2020057175.tif 000032